(57)【要約】【課題】化粧材を下地に簡単で確実に取り付けることができると共に、その取り外しを容易に行うことができる化粧材取付具を提供する。【解決手段】第１部材１０は、長尺の化粧材２０を下地３０に取り付けるために用いられるものである。第１部材１０は、下地３０に固定される固定部１１と、固定部１１に一体に設けられ化粧材２０に対して前方及び下方への移動を規制する２つの係合部１２、１３とを備える。化粧材２０を第１部材１０に取付後、第２部材２５を化粧材２０の上面に押し当てながら第２部材２５を下地３０に固着し、第２部材２５の上面に上側外壁材３４ａを固定する。【選択図】　　図３
2004084370.tif 000002
【特許請求の範囲】
【請求項１】
長尺の化粧材を建物の下地に取り付けるために用いられる化粧材取付具であって、
上記下地に固定され、上記化粧材の前方及び下方への移動を規制する第１部材と、
上記第１部材による化粧材の取付位置よりも上方の下地に固定され、上記化粧材が該第１部材から外れないように該化粧材の上方への移動を規制する第２部材とを有することを特徴とする化粧材取付具。
【請求項２】
請求項１に記載された化粧材取付具において、
上記第２部材は、上記化粧材とその上方において下地から前方へ張り出した外壁材との隙間に設けられるものであって、
上記第２部材は、ウェブと、
該ウェブの上下両端より前方へ突出したフランジとを備えていることを特徴とする化粧材取付具。
【請求項３】
長尺の化粧材と、
下地に固定され、上記化粧材の前方及び下方への移動を規制する第１部材と、
上記化粧材よりも上方の下地に固定され、該化粧材を上から押圧することにより、該化粧材を該第１部材から取り外し不能にする第２部材と、
上記化粧材とその上方において下地から前方へ張り出した外壁材との隙間を塞ぐパッキン材と、
上記化粧材よりも下方の外壁材と該化粧材との隙間から建物内部への水の浸入を阻止する水切り板とを備えていることを特徴とする化粧材取付構造。
【請求項４】
請求項３に記載された化粧材取付構造において、
上記化粧材と上記第２部材との間に介装された弾性材を有することを特徴とする化粧材取付構造。
【発明の詳細な説明】
【０００１】
【発明の属する技術分野】
本発明は、長尺の化粧材を下地に取り付けるために用いられる化粧材取付具及び化粧材取付構造に関する。
【０００２】
【従来の技術】
建築物の外壁、破風等の美観を向上させるために化粧材が用いられる。近年、かかる化粧材の取付は、ビスや釘で直接化粧材を下地に打ち付けて取り付ける工法から、下地に化粧材取付具を装着してその化粧材取付具を介して化粧材を取り付ける工法に移行してきている。
【０００３】
かかる化粧材取付具として、特開平１０−３０６５７２号公報には、化粧材取付具の受部に係止片を設けることについて開示されており、その受部に化粧材の突起をバネ嵌合することにより、係止片が突起のくびれ部分に係合して化粧材が化粧材取付具から外れるのを防止することができると記載されている。
【０００４】
【発明が解決しようとする課題】
しかし、上記従来の化粧材取付具では、化粧材の外力による偶発的な脱落を防止すべく化粧材の突起と化粧材取付具の受け部とのバネ嵌合力を高めると、化粧材を取り付ける際に大きな力が必要となり、作業性が悪化する。
【０００５】
また、化粧材の施工状態が思わしくない場合には一旦取り付けた化粧材を取り外すことになるが、その取り外しも困難になる。一方、上記バネ嵌合力を弱めると、化粧材の取付・取り外し作業は容易になるが、施工後に化粧材が偶発的に脱落しやすくなる。
【０００６】
そこで、本発明は、化粧材を下地に対して簡単に且つ強固に取り付けることができるようにすることを課題とする。
【０００７】
また、本発明の他の課題は、一旦取り付けた化粧材を簡単に取り外すことができるようにすることにある。
【０００８】
【課題を解決するための手段】
本発明は、化粧材を下地に対して該化粧材の前方（下地から離れる方向）及び下方への移動を規制する第１部材と、上方への移動を規制する第２部材とを組み合わせて取り付けるようにした。
【０００９】
すなわち、請求項１に係る発明は、長尺の化粧材を建物の下地に取り付けるために用いられる化粧材取付具であって、
上記下地に固定され、上記化粧材の前方及び下方への移動を規制する第１部材と、
上記第１部材による化粧材の取付位置よりも上方の下地に固定され、上記化粧材が該第１部材から外れないよう該化粧材の上方への移動を規制する第２部材とを有することを特徴とする。
【００１０】
上記構成によれば、下地に固定した第１部材に化粧材を前方及び下方への移動が規制されるように係合させ、その状態で第２部材を下地に固定すれば、化粧材は上方への移動が規制されるため、下地から外れなくなる。そうして、第２部材を下地から外せば、化粧材を第１部材から取り外すことができる。このように、第１部材と第２部材とは互いに化粧材の異なる方向への移動を規制するものであるから、従来の取付具のような嵌合手段は不要になり、化粧材を下地に簡単に且つ強固に取り付けることが可能になると共に、その取り外しも容易になる。
【００１１】
請求項２に係る発明は、請求項１に記載された化粧材取付具において、
上記第２部材は、上記化粧材とその上方において下地から前方へ張り出した外壁材との隙間に設けられるものであって、
上記第２部材は、ウェブと、
該ウェブの上下両端より前方へ突出したフランジとを備えていることを特徴とする。
【００１２】
上記構成によれば、第２部材が上記隙間を塞ぐパッキン材の固定部を兼ねているため、第２部材にパッキン材を嵌め込むだけで、容易に化粧材と外壁材との隙間を塞ぐことができる。
【００１３】
請求項３に係る発明は、長尺の化粧材と、
下地に固定され、上記化粧材の前方及び下方への移動を規制する第１部材と、上記化粧材よりも上方の下地に固定され、該化粧材を上から押圧することにより、該化粧材を該第１部材から取り外し不能にする第２部材と、
上記化粧材とその上方において下地から前方へ張り出した外壁材との隙間を塞ぐパッキン材と、
上記化粧材よりも下方の外壁材と該化粧材との隙間から建物内部への水の浸入を阻止する水切り板とを備えていることを特徴とする。
【００１４】
すなわち、パッキン材や水切り板を設けたことにより、化粧材と外壁材の隙間を塞ぐことができ、雨水が建物内部に進入することを防止できる。
【００１５】
請求項４に係る発明は、請求項３に記載された化粧材取付構造において、
上記化粧材と上記第２部材との間に介装された弾性材を有することを特徴とする。
【００１６】
すなわち、化粧材と第２部材との間に介装された弾性材によって、化粧材と第２部材との密着性が高まり、化粧材のガタツキ防止や化粧材と第２部材との隙間の防水に有利となる。
【００１７】
【発明の実施の形態】
以下、本発明の実施形態を図面に基づいて詳細に説明する。
【００１８】
−実施形態１−
図１は、本発明の実施形態に係る第１部材１０を示す。図２は、この第１部材１０と、第２部材１４を用いて建物の下地３０に長尺（横長）の化粧材２０を取り付けた化粧材取付構造を示す。
【００１９】
図１に示すように、第１部材１０は、縦長の略長方形の金属板を切断加工及び折り曲げ加工して形成されたものであって、下地３０に固定される平板状の固定部１１と、化粧材２０が係合する上側及び下側の係合部１２、１３とを備えている。固定部１１は、下地３０に固着される。
【００２０】
上側係合部１２は、金属板の中央のやや下側の部分から横長の長方形に切り起こされた断面略Ｌ字状の舌片で構成されている。すなわち、この係合部１２は固定部１１より直角に屈曲して化粧材２０の下方への移動を規制する水平部１２ａと、水平部１２ａの先端より上方へ延び、化粧材２０の前方への移動を規制する垂直部１２ｂとを備えている。垂直部１２ｂの上端部は前方へ屈曲している。
【００２１】
下側係合部１３は、上側係合部１２と同様の水平部１３ａと垂直部１３ｂとを備えた断面略Ｌ字状のものである。
【００２２】
図２に示すように、第２部材１４は断面Ｌ字状の板材であり、化粧材２０の上方への移動を規制する水平部１４ａと、下地３０に固定される垂直部１４ｂとを備えている。化粧材２０と接する水平部１４ａの下面には弾性材１５が固着されている。
【００２３】
なお、弾性材１５は第２部材１４に固着せずに、化粧材２０と第２部材１４の間に挟んでも構わない。また、化粧材２０と第２部材１４とがガタつかないようであれば、弾性材１５は使用しなくても構わない。この点は後述する他の実施形態も同様である。
【００２４】
次に、この第１部材１０と第２部材１４を用いた化粧材２０の取付方法及び取り外し方法について説明する。
【００２５】
ここで、化粧材２０は、ケイ酸カルシウム等の水硬化性材料等を長尺に押出成形して形成されたものである。この化粧材２０は、裏面に第１部材１０の上側係合部１２及び下側係合部１３に対応するように長手方向に延びる上側及び下側係合凹部２２、２３がそれぞれ設けられている。これらの上側及び下側係合凹部２２、２３は、それぞれ凹部上側壁が下方に突出した突起２２ａ、２３ａとなっており、凹部形状が断面略Ｌ字状に形成されている。
【００２６】
また、下地３０は、下地本体３１表面に防水紙３２が貼付され、その外側に縦胴縁３３が設けられ、さらにその外側に外壁材３４が設けられたものである。
【００２７】
化粧材２０を下地３０に取り付けるときには、まず、第１部材１０を外壁材３４の表面に横方向に間隔をあけて複数固定する。この時、第１部材１０の固着は、固定部１１を接着することにて行ってもよいし、固定部１１に固定具挿通孔をあけ、固定部に釘を挿通させて下地３０に打ちつけることにより行ってもよい。
【００２８】
次に、化粧材２０の係合凹部２２、２３の突起２２ａ、２３ａを第１部材１０の係合部１２、１３の水平部１２ａ、１３ａの内側に上方から挿入していき、突起２２ａ、２３ａを垂直部１２ｂ、１３ｂの内側に係合させると共に、突起２２ａ、２３ａの下端を水平部１２ａ、１３ａに係合させる。このとき、必要に応じて、上側及び下側係合部１２、１３の内側に弾性接着剤を付着させてもよい。
【００２９】
次に、弾性材１５を介して第２部材１４の水平部１４ａを化粧材２０の上面に押し当て、垂直部１４ｂを下地３０に固着する。第２部材１４の固着は、接着することにて行ってもよいし、釘付けしてもよい。
【００３０】
以上によって、化粧材２０が第１部材１０に係合して下方及び前方への移動が規制されると共に、第２部材１４によって化粧材２０が上方から押圧されて化粧材２０の上方への移動が規制され、下地３０への化粧材２０の取り付けが完了する。
【００３１】
また、下地３０から化粧材２０を取り外すときには、第２部材１４を取り外し、化粧材２０を上方に移動させることにより、上側及び下側係合部１２、１３の化粧材２０に対する係合を解除させる。
【００３２】
上記実施形態では、第１部材１０は金属板に対して切断加工及び折り曲げ加工のみが施されて製造されており、種々の形状のものを容易に成形することができるので、化粧材２０の種類に応じたものを効率的に製造することが可能となる。
【００３３】
また、下地３０に化粧材２０を取り付けた後には、必要に応じて、化粧材２０上端と下地３０との間の隙間にシーリング材を充填するようにしてもよい。
【００３４】
さらに、化粧材２０と第１部材１０との係合は、テーパー嵌合によって下方への移動を規制すると共に、前方への移動を規制するようにしてもよい。この場合は、化粧材２０の突起２２ａ、２３ａの下端が第１部材１０の係合部１２、１３の水平部１２ａ、１３ａに当たっていなくてもよい。
【００３５】
−実施形態２−
本形態については図３に示すように、第１部材１０が縦胴縁３３に固定され、外壁材３４ａ、３４ｂが化粧材２０の上下に配置され、化粧材２０よりも上方に設けられた上側外壁材３４ａと化粧材２０の隙間に、第２部材２５を固定する。第２部材２５は、ウェブ１６と、該ウェブ１６の上下両端より前方へ突出したフランジ１７と、該フランジ１７の各先端に化粧材２０と上側外壁材３４ａの隙間を塞ぐパッキン材２６を固定するための鉤型係止部１８とを有し、下側フランジ１７の下面に弾性材２７が固着されている。
【００３６】
なお、第２部材２５は、パッキン材２６をしっかりと固定できるのであれば、鉤型係止部１８の無いコの字型の形状でも構わない。この点は後述する他の実施形態も同様である。
【００３７】
また、化粧材２０よりも下方に設けられた下側外壁材３４ｂと化粧材２０との隙間からの雨水の浸入を塞ぐために、水切り板２８を取り付ける。水切り板２８は、上側垂直部２８ａと、その下面より前方へ延びた水平部２８ｂと、水平部２８ｂの前端より下方へ延びた下側垂直部２８ｃとを備えている。
【００３８】
次に、この第１部材１０と第２部材２５を用いた化粧材２０の取付方法及び取り外し方法について説明する。
【００３９】
図４に示すように、化粧材２０を縦胴縁３３に取り付けるときには、まず、第１部材１０を間隔をおいて配置された複数の縦胴縁３３に固着する。ここで、第１部材１０の固着は、接着することにて行ってもよいし釘付けでもよい。
【００４０】
次に、水切り板２８を縦胴縁３３に固着する。図５に示すように、水切り板２８を固着する位置は、化粧板２０を第１部材１０に取り付けたときに、化粧材２０と水切り板２８の上側垂直部２８ａとがオーバーラップし且つ下側外壁材３４ｂの上面を、水切り板２８の水平部２８ｂが覆うような高さにすることが好ましい。
【００４１】
次に、図５に示すように、化粧材２０の係合凹部２２、２３の突起２２ａ、２３ａを実施形態１で実施したやり方と同様にして、第１部材１０の係合部１２、１３に係合させる。
【００４２】
次に、図６に示すように、複数の第２部材２５の弾性材２７を化粧材２０の上面に押し当てながら縦胴縁３３に固着し、第２部材２５の上面に上側外壁材３４ａを固定する。
【００４３】
図６に示すように、第２部材２５を固定した後、上側外壁材３４ａと化粧材２０の隙間を塞ぐため、化粧材２０の長手方向と同等の長さのパッキン材２６の突条部２６ａを第２部材２５のフランジ１７、１７間に嵌め込んで、突条部２６ａの側面を上下の鉤型係止部１８に係止して固定する。
【００４４】
以上によって、図７に示すように、化粧材２０の突起２２ａ、２３ａが第１部材１０の上側及び下側係合部１２、１３にそれぞれ係合して化粧材２０の下方及び前方への移動が規制されると共に、第２部材１４を化粧材２０の上面に配置して縦胴縁３３に取り付けたことにより、化粧材２０の上方への移動が規制され、縦胴縁３３への化粧材２０の取付が完了する。
【００４５】
また、縦胴縁３３からの化粧材２０を取り外すときには、第２部材２５を取り外して、化粧材２０を上方に移動させることにより、上側及び下側係合部１２、１３の化粧材２０に対する係合を解除させればよい。
【００４６】
上記の第２部材２５によれば、上側外壁材３４ａと化粧材２０との隙間を塞ぐために、化粧材２０の長手方向と同等の長さのパッキン材２６を第２部材２５に嵌め込むことにより、上側外壁材３４ａと化粧材２０の隙間から建物内部への雨水の浸入を防止することができる。
【００４７】
また、上記の水切り板２８によれば、下側外壁材３４ｂと化粧材２０との隙間から建物内部への雨水の浸入を防止することができる。
【００４８】
本実施形態では、第２部材２５の長手方向の長さは、縦胴縁３３からはみ出さない程度のものを用いているが、化粧材２０の長手方向と同等長さのものを用いても良い。
【００４９】
−実施形態３−
本形態については図８に示すように、実施形態２との相違点は、水切り板２９の上側垂直部２９ａが化粧材２０の裏面を覆うように上側外壁材３４ａの下端まで延びており、また、第１部材１０及び第２部材２５が縦胴縁３３ではなく、水切り板２９に固着していることである。他の構成は実施形態２と基本的には同じである。
【００５０】
上記構成により、第２部材２５と化粧材２０との隙間から雨水が浸入したとしても、水切り板２９の上側垂直部２９ａが浸入した雨水をせき止め、建物内部に雨水が浸入することを防止することが出来る。
【００５１】
【発明の効果】
以上説明したように、本発明によれば、化粧材の前方及び下方への移動を規制する第１部材と、化粧材の上方への移動を規制する第２部材とを組み合わせて化粧材を取り付けるようにしたから、化粧材の取り付け作業が簡単且つ確実に実施できると共に、化粧材の取り外しも容易となる。
【図面の簡単な説明】
【図１】本発明の実施形態に係る第１部材の斜視図
【図２】本発明の実施形態１に係る化粧材取付具を用いた化粧材取付構造の側面図
【図３】本発明の実施形態２に係る化粧材取付具を用いた化粧材取付構造の側面図
【図４】本発明の実施形態２に係る化粧材取付具の施工手順を示した斜視図
【図５】本発明の実施形態２に係る化粧材取付具の施工手順を示した斜視図
【図６】本発明の実施形態２に係る化粧材取付具の施工手順を示した斜視図
【図７】本発明の実施形態２に係る化粧材取付具を用いた化粧材取付構造の斜視図
【図８】本発明の実施形態３に係る化粧材取付具を用いた化粧材取付構造の側面図
【符号の説明】
１０　　第１部材
１１　　固定部
１２　　上側係合部
１２ａ　水平部
１２ｂ　垂直部
１３　　下側係合部
１３ａ　水平部
１３ｂ　垂直部
１４　　第２部材
１４ａ　水平部
１４ｂ　垂直部
１５　　弾性材
１６　　ウェブ
１７　　フランジ
１８　　鉤型係止部
２０　　化粧材
２２　　上側係合凹部
２２ａ　突起
２３　　下側係合凹部
２３ａ　突起
２５　　第２部材
２６　　パッキン材
２６ａ　突条部
２７　　弾性材
２８　　水切り板
２８ａ　上側垂直部
２８ｂ　水平部
２８ｃ　下側垂直部
２９　　水切り板
２９ａ　上側垂直部
３０　　下地
３１　　下地本体
３２　　防水紙
３３　　縦胴縁
３４　　外壁材
３４ａ　上側外壁材
３４ｂ　下側外壁材
【図１】
2004084370.tif 000003
【図２】
2004084370.tif 000004
【図３】
2004084370.tif 000005
【図４】
2004084370.tif 000006
【図５】
2004084370.tif 000007
【図６】
2004084370.tif 000008
【図７】
2004084370.tif 000009
【図８】
2004084370.tif 000010